(57)【要約】【課題】加熱された状態のカーラーをセッター本体から取り外し、その周面に髪を巻き付けてくせ付けを行なえ、従来のヘアーセッターに比べて、ユーザーに余分な負担を強いることもなくカール処理をむらなく行なえるヘアーセッターを提供する。【解決手段】セッター本体１と、セッター本体１の一側に設けられて髪を加熱しながらカール処理するカール部３と、カール部３に着脱自在に外嵌装着されるカーラー４とを備えている。セッター本体１の内部に、温風を生成する送風ファン６やヒーター７を設ける。カール部３は、温風を供給する筒状のカール軸体２５と、髪を挟み保持する押えアーム２６とを備えている。カール軸体２５にカーラー４を装着して加熱する。加熱されたカーラー４をカール軸部２５から取り外してその周面に髪を巻き込み、カーラー４の熱で髪を加熱しながらくせ付けする。【選択図】図１
2010220858.tif 000002
【特許請求の範囲】
【請求項１】
セッター本体（１）と、セッター本体（１）の一側に設けられて髪を加熱しながらカール処理するカール部（３）と、カール部（３）に着脱自在に外嵌装着されるカーラー（４）とを備えており、
カール部（３）に装着して加熱されたカーラー（４）をカール部（３）から取り外し、その周面に髪を巻き込んでカール処理することを特徴とするヘアーセッター。
【請求項２】
カール部（３）が、熱を供給するカール軸体（２５）と、カール軸体（２５）と協同して髪を挟み保持する押えアーム（２６）とを備えている請求項１に記載のヘアーセッター。
【請求項３】
セッター本体（１）の内部に、モーター（１０）で駆動される送風ファン（６）と、ヒーター（７）とが設けられており、
カール軸体（２５）は、周面に一群の通気開口（３０・３３）が開口された中空体で形成されており、
セッター本体（１）から送給される温風を、カール軸体（２５）の一群の通気開口（３０・３３）から吹き出し供給する請求項２に記載のヘアーセッター。
【請求項４】
セッター本体（１）の連結部（１３）にカールユニット（２）が着脱可能に差し込み装着されており、
カールユニット（２）に、カール部（３）を構成するカール軸体（２５）と押えアーム（２６）とが設けてある請求項２または３に記載のヘアーセッター。
【請求項５】
カーラー（４）が、周面に一群の通気窓（３８）が開口してある筒状のカーラー枠（３５）と、カーラー枠（３５）の外周面に設けられる巻付け要素（３７）とを含んで構成してある請求項２、３または４に記載のヘアーセッター。
【請求項６】
前記巻付け要素（３７）が、通気自在な基布部（５１）と、基布部（５１）の外面に形成される一群の鉤状突片（５２）とで面ファスナー状に形成されており、
巻付け要素（３７）をカーラー枠（３５）の周囲に巻き付けてカーラー（４）が形成してある請求項２から５のいずれかに記載のヘアーセッター。
【請求項７】
カーラー（４）が、カール軸体（２５）および押えアーム（２６）に外嵌する状態でカール部（３）に装着してある請求項２から６のいずれかに記載のヘアーセッター。
【請求項８】
カール軸体（２５）に装着したカーラー（４）と、カール軸体（２５）の基端との間に隙間（Ｅ）が設けてある請求項３から７のいずれかに記載のヘアーセッター。
【請求項９】
カーラー枠（３５）のカール部（３）への装填始端側に温風入口（４３）が開口されており、
カーラー枠（３５）の突端寄りの内面に、カーラー枠（３５）の内部を軸方向へ仕切る区分壁（４１）が形成されており、
区分壁（４１）にカール軸体（２５）の挿通を許す装着開口（４２）が形成してある請求項３から８のいずれかに記載のヘアーセッター。
【請求項１０】
温風入口（４３）と区分壁（４１）との間のカーラー枠（３５）の周壁内面に、表面積を増加する凹凸体（４４・４５）が形成してある請求項９に記載のヘアーセッター。
【請求項１１】
前記凹凸体（４４・４５）が、カーラー枠（３５）の中心軸線と平行な一群のリブで形成してある請求項１０に記載のヘアーセッター。
【請求項１２】
前記凹凸体が、カーラー枠（３５）の内部を周方向へ複数個に区分する突出寸法が大きな複数の第１リブ（４４）と、カーラー枠（３５）の周壁内面に設けられる突出寸法が小さな第２リブ（４５）の一群とで構成してある請求項１１に記載のヘアーセッター。
【請求項１３】
押えアーム（２６）の壁面に、カール軸体（２５）の通気開口（３０・３３）から吹き出し供給された温風の通過を許すアーム通口（７６）が形成してある請求項３から１２のいずれかに記載のヘアーセッター。
【請求項１４】
セッター本体（１）の一側に、イオン発生ユニットを備えた放電体（９）が設けられて、その外面にカール軸体（２５）が配置されており、
セッター本体（１）から送給される温風と同時に、放電体（９）で生成したマイナスイオンを送給できる請求項３から１３のいずれかに記載のヘアーセッター。
【請求項１５】
カール軸体（２５）の突端軸部（５５）に、カール軸体（２５）に装着したカーラー（４）の抜け外れを規制するロック体（５６）が設けられており、
ロック体（５６）は、突端軸部（５５）の周面から突出するロック位置と、突端軸部（５５）の周面内に沈み込むロック解除位置とに変位自在に支持されて、ばねでロック位置へ向かって進出付勢してある請求項３から１４のいずれかに記載のヘアーセッター。
【請求項１６】
ロック体（５６）が、カール軸体（２５）の突端軸部（５５）と一体に形成してある請求項１５に記載のヘアーセッター。
【請求項１７】
ロック体（５６）が自己の弾性でロック位置へ向かって進出付勢してある請求項１５または１６に記載のヘアーセッター。
【請求項１８】
ロック体（５６）がカーラー（４）の装着開口（４２）の開口周縁壁を受け止めて、カール軸体（２５）に装着したカーラー（４）の抜け外れを規制している請求項１５、１６または１７に記載のヘアーセッター。
【発明の詳細な説明】
【技術分野】
【０００１】
本発明は、髪を加熱しながらくせ付けするヘアーセッターに関する。
【背景技術】
【０００２】
この種のヘアーセッターは、例えば本出願人の出願に係る特許文献１に公知である。そこでは、温風を生成するセッター本体と、セッター本体に対して交換装着されるブローブラシ、カールブラシ、およびノズルなどのアタッチメントでヘアーセッターを構成している。セッター本体の一側には、温風およびマイナスイオンを送給する棒状の放電体が設けてあり、この放電体に外嵌する状態で先のアタッチメントをセッター本体に交換装着できる。なお、各アタッチメントは、セッター本体と一体にした状態でのみ髪を加熱しながらくせ付けできる。同様のヘアーセッターは特許文献２にも見ることができる。
【０００３】
本発明のヘアーセッターは、セッター本体の一側に設けた棒状のカール軸体に、両端が開口する筒状のカーラーを装着して加熱するが、この種のヘアーセッターは、例えば特許文献３に公知である。そこでは、セッター本体の一側に棒状の吹出筒が固定してあり、吹出筒に装着したカーラーの周面に髪を巻き付けて、吹出筒から送給される温風で髪を加熱しながらくせ付けを行なう。髪を適度に加熱したのち、セッター本体をカーラーから取り外して、カーラーをヘアーピンで髪に固定する。同様に、別のカーラーに髪を巻き付けて加熱しながらくせ付けを行なうことにより、頭髪の複数箇所をカール処理することができる。カーラーは蓄熱式のホットカーラーとは異なり、軽量のプラスチック成形品で形成してあり、その一側半周面には櫛歯群が形成してあり、他側半周面にはガイド桟群が多段状に形成してある。
【先行技術文献】
【特許文献】
【０００４】
【特許文献１】特開２００７−１０５１４４号公報（段落番号００５０、図２）
【特許文献２】特公昭４５−１４０１７号公報（第１頁第２欄４〜９行、第２図）
【特許文献３】特開平１０−４２９３２号公報（段落番号００２５〜００２７、図７）
【発明の概要】
【発明が解決しようとする課題】
【０００５】
特許文献３のヘアーセッターによれば、髪を加熱したのちセッター本体をカーラーから分離してくせ付けを行なうので、複数個のカーラーを使用して頭髪の複数箇所をカール処理できる。しかし、カーラーに巻き付けた状態の髪を、セッター本体から送給される温風で加熱するので、髪が充分に加熱されるまでの間、セッター本体を頭上に差し上げた状態で持ち続ける必要があり、ユーザーに余分な負担を強いることになる。また、セッター本体をカーラーから抜き出し操作する間に、カーラーが揺れ動いて、カーラーに巻き付けた髪が緩んでしまうおそれがある。
【０００６】
カーラーに髪を巻き付けてヘアーピンで固定し、この状態で温風をカーラー周辺に吹き付けると、先のようなユーザーの負担を軽減できる。しかし、その場合にはカーラーに巻き付けられた髪の外層は加熱できるが、内層の髪を加熱するのが難しく、したがって毛先を効果的にくせ付けできない。
【０００７】
本発明の目的は、予め加熱した状態のカーラーに髪を巻き付けてくせ付けでき、したがって、ユーザーに余分な負担を強いる必要もなく、髪のカール処理を効果的に行なえるヘアーセッターを提供することにある。
本発明の目的は、カーラーによるくせ付けと、セッター本体によるくせ付けとを併行して行なうことができ、整髪作業をより短時間で速やかに行なえるヘアーセッターを提供することにある。
【課題を解決するための手段】
【０００８】
本発明に係るヘアーセッターは、セッター本体１と、セッター本体１の一側に設けられて髪を加熱しながらカール処理するカール部３と、カール部３に着脱自在に外嵌装着されるカーラー４とを備えている。以て、カール部３に装着して加熱されたカーラー４をカール部３から取り外し、その周面に髪を巻き込んでカール処理することを特徴とする。
【０００９】
カール部３は、熱を供給するカール軸体２５と、カール軸体２５と協同して髪を挟み保持する押えアーム２６とを備えている。
【００１０】
セッター本体１の内部に、モーター１０で駆動される送風ファン６と、ヒーター７とを設ける。カール軸体２５は、周面に一群の通気開口３０・３３が開口された中空体で形成する。セッター本体１から送給される温風を、カール軸体２５の一群の通気開口３０から吹き出し供給する。
【００１１】
セッター本体１の連結部１３にカールユニット２を着脱可能に差し込み装着する。カールユニット２に、カール部３を構成するカール軸体２５と押えアーム２６とを設ける。
【００１２】
カーラー４は、周面に一群の通気窓３８が開口してある筒状のカーラー枠３５と、カーラー枠３５の外周面に設けられる巻付け要素３７とを含んで構成する。
【００１３】
巻付け要素３７は、通気自在な基布部５１と、基布部５１の外面に形成される一群の鉤状突片５２とで面ファスナー状に形成する。巻付け要素３７をカーラー枠３５の周囲に巻き付けてカーラー４を形成する。
【００１４】
カーラー４は、カール軸体２５および押えアーム２６に外嵌する状態でカール部３に装着する。
【００１５】
カール軸体２５に装着したカーラー４と、カール軸体２５の基端との間に隙間Ｅを設ける。
【００１６】
カーラー枠３５のカール部３への装填始端側に温風入口４３を開口する。カーラー枠３５の突端寄りの内面に、カーラー枠３５の内部を軸方向へ仕切る区分壁４１を形成する。区分壁４１にカール軸体２５の挿通を許す装着開口４２を形成する。
【００１７】
温風入口４３と区分壁４１との間のカーラー枠３５の周壁内面に、表面積を増加する凹凸体４４・４５を形成する。
【００１８】
凹凸体４４・４５は、カーラー枠３５の中心軸線と平行な一群のリブで形成する。
【００１９】
凹凸体が、カーラー枠３５の内部を周方向へ複数個に区分する突出寸法が大きな複数の第１リブ４４と、カーラー枠３５の周壁内面に設けられる突出寸法が小さな第２リブ４５の一群とで構成する。
【００２０】
押えアーム２６の壁面に、カール軸体２５の通気開口３０・３３から吹き出し供給された温風の通過を許すアーム通口７６を形成する。
【００２１】
セッター本体１の一側に、イオン発生ユニットを備えた放電体９を設け、その外面にカール軸体２５を配置する。セッター本体１から送給される温風と同時に、放電体９で生成したマイナスイオンを送給する。
【００２２】
カール軸体２５の突端軸部５５に、カール軸体２５に装着したカーラー４の抜け外れを規制するロック体５６を設ける。ロック体５６は、突端軸部５５の周面から突出するロック位置と、突端軸部５５の周面内に沈み込むロック解除位置とに変位自在に支持されて、ばねでロック位置へ向かって進出付勢する。
【００２３】
ロック体５６は、カール軸体２５の突端軸部５５と一体に形成する。
【００２４】
ロック体５６は自己の弾性でロック位置へ向かって進出付勢する。
【００２５】
ロック体５６でカーラー４の装着開口４２の開口周縁壁を受け止めて、カール軸体２５に装着したカーラー４の抜け外れを規制する。
【発明の効果】
【００２６】
本発明におけるヘアーセッターにおいては、セッター本体１の一側に設けられるカール部３にカーラー４を装着して所定の温度状態に加熱し、カール部３から取り外したカーラー４の周面に髪を巻き込んでくせ付けを行なうようにした。このように、予め加熱された状態のカーラー４を使用して、その周面に髪を巻き付けてくせ付けを行なうようにすると、髪のくせ付けに要する一連の作業を簡便に行なってユーザーの負担を軽減できる。
【００２７】
詳しくは、加熱されたカーラー４を回転操作するだけで髪をカーラー周面に確りと巻き付け、髪が巻き付けられた状態のカーラー４をヘアーピンで頭髪に固定することにより、カーラー４の熱を髪に加えながらくせ付けできる。したがって、髪が充分に加熱されるまでの間、セッター本体を頭上に差し上げた状態で持ち続ける必要があった従来のヘアーセッターとは異なり、ユーザーに余分な負担が掛かるのを一掃して、頭髪のカール処理を簡便に行なえる。さらに、カーラー周面に巻き込まれた髪を、カーラー４の熱で内側から加熱しながらくせ付けするので、とくに髪の毛先側を効果的にカール処理できる。
【００２８】
熱を供給するカール軸体２５でカール部３を構成すると、カーラー４に髪を巻き込んでくせ付けを行ないながら、同時に、セッター本体１のカール部３によるくせ付けとを併行して行なうことができる。したがって、一連の整髪作業をより短時間で速やかに行なえる。例えば、カール部３で加熱したカーラー４を頭頂部に装着して髪をくせ付けしながら、併行して側頭部の髪をカール部でくせ付けすることができる。また、カール軸体２５と押えアーム２６とで髪を挟み保持した状態で巻き込むことにより、カール処理したい髪の部位を的確に加熱しながらくせ付けして、ヘアーセットをより的確にしかも迅速に行なえる。また、カーラー４を加熱したときのカール部３の熱を有効に利用しながらくせ付けできるので、消費エネルギーの無駄を抑止できる。２個目のカーラー４を加熱する場合や、カール部３で髪をくせ付けしたのちカーラー４を加熱する場合にも、前回に加熱したときのカール部３の熱を有効に利用して、消費エネルギーの無駄を抑止できる。押えアーム２６が金属で形成してある場合には、押えアーム２６の熱を有効に利用して、カーラー４や髪を迅速に加熱できる利点もある。
【００２９】
セッター本体１で生成した温風を、中空のカール軸体２５を介して一群の通気開口３０・３３からカーラー４の内部に吹き出し供給するヘアーセッターによれば、カール軸体２５に装着したカーラー４を内側から満遍なく加熱することができる。また、適度に加熱された温風を熱源にしてカーラー４を加熱するので、カーラー４の温度が異常に高くなるのを確実に防止でき、したがって、カール軸体２５から取り外したカーラー４に髪を巻き付ける作業を安全にしかも確実に行なえる。さらに、カール部３で直接くせ付けを行なう場合には、カール軸体２５に巻き付けられた髪を満遍なく均等に加熱し、あるいは冷風で冷却してカール形状を固定することができる。
【００３０】
セッター本体１の連結部１３に着脱されるカールユニット２に、カール部３を構成するカール軸体２５と押えアーム２６を設けると、カールユニット２と他のアタッチメントを併用して、多様な髪処理を行なうことができる。例えば、カーラー４に髪を巻き込んでくせ付けを行ないながら、カール部３で直接くせ付けを行ない、あるいは他のアタッチメントを使用してヘアーブローなどの整髪作業を併行して行なえる。また、カーラー４に髪を巻き込んでくせ付けを行なう際にカールユニット２をセッター本体１から取り外し、温風をカーラー４の周辺に吹き出すことにより、髪およびカーラー４を追加して加熱できる。
【００３１】
通気自在な筒状のカーラー枠３５と巻付け要素３７とで構成したカーラー４によれば、カーラー枠３５の周面から吹き出される温風でカーラー４周面に巻き付けられた髪を満遍なく加熱しながら、カーラー４を軽量化できる。したがって、カーラー４を頭髪に止め付けた状態で、他の頭髪部位の整髪作業を行なうような場合に、カーラー４が揺れ動いて地肌が引っ張られたり、頭髪に対するカーラー４の止め付け位置がずれ動くのを確実に防止できる。つまり、重量が大きなヒーター内蔵のカーラーに比べて、軽量化されたカーラー４で違和感のない状態でくせ付けを行なえる。さらに、カール軸体２５で加熱されたカーラー４を取り外して髪を巻き付ける際に、カーラー枠３５からの熱伝動を巻付け要素３７で緩和できるので、カーラー４に対する髪の巻き付け作業を安全にしかも確実に行なえる。
【００３２】
巻付け要素３７が、基布部５１と一群の鉤状突片５２とで面ファスナー状に形成してあると、鉤状突片５２に毛先を絡みつかせて髪の巻き付け作業を円滑に、しかも確実に行なえる。また、面ファスナー状の巻付け要素３７は、水分を吸収しにくい特性を備えているので、カール軸部２５から吹き出される温風の熱が基布部５１および鉤状突片５２を通過する間に無駄に消費されるのを避けて、髪の乾燥およびくせ付けをより効果的に行なうことができる。
【００３３】
カール軸体２５および押えアーム２６に外嵌する状態でカーラー４をカール部３に装着するようにすると、カール軸体２５の熱と押えアーム２６の熱とでカーラー４を効果的に加熱できる。また、カーラー４を加熱したのちの、カール軸体２５と押えアーム２６の熱を有効に利用しながら髪をくせ付けして、消費エネルギーの無駄を抑止できる。とくに、押えアーム２６が金属で形成してある場合には、押えアーム２６の熱を有効に利用して、カーラー４や髪を迅速に加熱できる。
【００３４】
カール軸体２５に装着したカーラー４と、カール軸体２５の基端との間に隙間Ｅを設けると、カーラー４における温風の通りが悪い状態において、カーラー４が局部的に過熱状態に陥るのを防止できる。温風の通りが悪い状態では、セッター本体１から送給される温風を隙間Ｅからカーラー４の外部へ放出して、カーラー４の内部に温風がこもるのを防止できるからである。なお、温風の通りが疎外される状態は、カール軸体２５の周面やカーラー４の内外面に大量の髪が絡み付いている場合などに生じやすいが、こうした場合でもカーラー４が過熱されるのを確実に解消して、カーラー４による髪のくせ付けを安全に行なえる。
【００３５】
カーラー枠３５の突端寄り内面に装着開口４２を備えた区分壁４１を設けると、カール軸体２５から周囲へ吹き出された温風と、温風入口４３の側から送給された温風の殆どを区分壁４１でせき止めて、カーラー４を加熱できる。したがって、温風が無駄に消費されるのを防ぐことができる。また、カーラー４に巻き付けた髪のくせ付けを効果的に行なうことができる。さらに、頭髪に固定したカーラー４の内部に温風を吹き込んで、カーラー４の再加熱を行なう場合に、セッター本体１から吹き出し供給される温風を区分壁４１でせき止めて、カーラー４の内部で循環させることにより、カーラー４を効果的に再加熱できる。
【００３６】
温風入口４３と区分壁４１との間のカーラー枠３５の内面に凹凸体４４・４５を形成すると、カーラー枠３５の内面の表面積を増加して、温風とカーラー枠３５の接触機会を増やすことができる。したがって、カーラー４の加熱に要する時間を短縮して、効果的にしかも無駄なエネルギー消費を抑えながらカーラー４を加熱できる。また、凹凸体４４・４５を設けることにより、カーラー枠３５の全体の体積を増やすことができるので、その分だけカーラー４の蓄熱量を増加して髪の加熱を効果的に行なうことができる。
【００３７】
凹凸体４４・４５を、カーラー枠３５の中心軸線と平行な一群のリブで形成すると、温風を軸心方向に延びる凹凸体４４・４５に沿って均等に分布させることができる。したがって、カーラー枠３５の全体を均等に加熱して、その周面に巻き込まれた髪をむらのない状態で均等にくせ付けできる。また、軸心方向に延びる凹凸体４４・４５は、カール軸体２５とカーラー枠３５との隙間を周方向へ概ね均等にすることにも役立っており、したがって、カーラー４の一部が過熱状態に陥るのを阻止できる。
【００３８】
突出寸法が大きな複数の第１リブ４４と、突出寸法が小さな第２リブ４５の一群とで凹凸体を構成すると、第１リブ４４で大まかに区分された区画ごとに温風を分散させてカーラー枠３５を均等に加熱できる。また、第１・第２の両リブ４４・４５の表面積と、リブ全体の体積とを大きくできる分だけ、カーラー枠３５の加熱を効果的に行なえ、しかもカーラー枠３５の蓄熱量を増やして、髪の加熱くせ付けをさらに効果的に行なうことができる。第１リブ４４は、カール軸体２５とカーラー４の間隔を適量に保持して、カーラー４が斜めに傾いだ状態で加熱されるのを防ぐ規制体としても機能している。因みに、第２リブ４５の突出寸法が第１リブ４４の突出寸法と同じに設定してある場合には、誤って指先をカーラー４の内部に差し込むような場合に、指先の接触個所が多くなって熱さを感じやすくなる。しかし、上記のように、第２リブ４５の突出寸法を短くしておくことにより、受風面積をある程度は稼ぎながら、指先が接触する個所を第１リブ４４のみに限って、指先に感じる熱さを十分に軽減できる。
【００３９】
押えアーム２６の壁面にアーム通口７６を形成すると、カール軸体２５の通気開口３０・３３から吹き出し供給された温風をアーム通口７６を介してカーラー４の内部に送給できるので、カーラー４をさらに均等に加熱して、髪の加熱くせ付けをむらのない状態で行なえる。カール軸体２５と押えアーム２６との間に髪を挟み込んでくせ付けを行なう場合にも、アーム通口７６を通り抜ける温風で髪を効果的に加熱できる。
【００４０】
セッター本体１の一側に、イオン発生ユニットを備えた放電体９を設け、その外面にカール軸体２５を配置すると、温風と同時に放電体９で生成したマイナスイオンを送給して、カーラー４をマイナスに帯電させることができる。したがって、髪がプラスに帯電していたとしても、マイナスに帯電したカーラー４で髪の電位を中和し、あるいはマイナスイオンを付着させて髪の水分率を向上でき、くせ付けされた髪をしっとりとした状態に仕上げることができる。
【００４１】
カール軸体２５に装着したカーラー４を、突端軸部５５に設けたロック体５６で抜け外れ不能に規制すると、加熱された状態のカーラー４が、不用意にカール軸体２５から抜け出るのを確実に阻止できる。例えば、いたずらでセッター本体１が振り動かされ、あるいは卓上に載置していたセッター本体１が誤って床面に落下するような場合にも、加熱されたカーラー４がカール軸体２５から分離するのを防止し、より安全にカーラー４の加熱を行なうことができる。また、カーラー４をカール軸体２５の所定位置まで単に差し込むだけで、ロック体５６をばねでロック状態として、カーラー４を分離不能に保持できるので、より簡単な操作でカーラー４をカール軸体２５に装着し、ロック固定できる。カール軸体２５の先端の突端軸部５５にロック体５６を設けるので、カーラー４の内部に送給される温風の流れがロック体５６で阻害されるのを防止できる。また、カーラー４の温風入口４３に比べて温度条件が緩和された先端部分にロック体５６を設けるので、ロック体５６が過熱されて熱変形し、不用意にロック状態が解除されるのを防止できる。因みに、ロック体５６をカール軸体２５の中途部や基端部側に設ける場合には、温風の流れがロック体５６で阻害されるのを避けるためにカーラー４を太く形成することになり、カーラー４が肥大化するのを避けられない。なお、本発明においてロック体５６の抜け外れを規制するとは、先のようにユーザーの意図しない状況でカーラー４がカール軸から分離するのを規制できるが、ユーザーがカーラー４をカール軸から意図的に分離しようとする場合には、取り外しが可能であることを意味する。
【００４２】
ロック体５６を突端軸部５５と一体に形成すると、カーラー４のロック構造の構成部品点数を減らすことができ、しかもロック体５６を突端軸部５５に組み付ける手間を省いて、その分だけヘアーセッターの製造コストを削減できる。また、ロック体５６を自己の弾性でロック位置へ進出付勢すると、ロック付勢用のばねを省略してさらにヘアーセッターの製造コストを削減できる。
【００４３】
装着開口４２の開口周縁壁をロック体５６で受け止めるようにすると、区分壁４１を利用してカーラー４の抜け外れを規制できるので、上記の構成部品点数の削減効果に加えてロック構造をさらに簡素化して製造コストを削減できる。また、区分壁４１と装着開口４２に係合するカール軸体２５とで温風をせき止めて、温風が無駄に消費されるのを防止できる。
【図面の簡単な説明】
【００４４】
【図１】カール部にカーラーを装着した状態の縦断正面図である。
【図２】ヘアーセッターの側面図である。
【図３】カールユニットおよびカーラーを分離した状態の正面図である。
【図４】押えアームを開いた状態の正面図である。
【図５】カーラーのロック構造を示す縦断正面図である。
【図６】カーラーの分解斜視図である。
【図７】図１におけるＡ−Ａ線断面図である。
【図８】図１におけるＢ−Ｂ線断面図である。
【図９】図１におけるＣ−Ｃ線断面図である。
【図１０】ヘアーセッターの使用例を示す説明図である。
【図１１】カーラーの別の実施例を示す縦断面図である。
【図１２】図１１におけるＤ−Ｄ線断面図である。
【図１３】ロック構造の別の実施例を示す縦断正面図である。
【図１４】ロック構造のさらに別の実施例を示す縦断正面図である。
【発明を実施するための形態】
【００４５】
（実施例）  図１ないし図１０は本発明に係るヘアーセッターの実施例を示す。図２および図３においてヘアーセッターは、上下に長いセッター本体１と、セッター本体１に交換装着されるカールユニット２と、カールユニット２のカール部３に着脱自在に装着される複数個のカーラー４とを備えている。カールユニット２は、図示していないブローブラシ、やノズルなどと共にアタッチメントを構成しており、それぞれセッター本体１に交換装着できる。
【００４６】
図２に示すように、セッター本体１は、筒状の本体ケース５の内部に送風ファン６やヒーター７などを配置し、吹出口８の側にイオン発生用の放電ユニットを備えた放電体９を配置して構成してある。グリップを兼ねるセッター本体１の上部外面には、送風ファン６のモーター１０やヒーター７への通電状態を切り換えるスイッチノブ１２と、吹出口８の周囲の連結部１３に連結したアタッチメントを取り外すためのロック解除用のボタン１４とが設けてある。先のカールユニット２は、連結部１３に交換装着されてセッター本体１と一体化される。符号１５は吸込口である。スイッチノブ１２は、オフ位置と、冷風位置と、低温風位置と、高温風位置との４位置にスライド切り換えできる。なお、カール部３でカール処理を行なう場合には、温風で髪をくせ付けした後に、スイッチノブ１２を冷風位置へ切り換えてくせ付け個所を即座に冷却することにより、くせ付け形状を固定してヘアーセットを速やかに行なうことができる。
【００４７】
図１および図３において、放電体９は丸筒状の中空体で形成してあり、その周囲壁に円形の４個のイオン送出付口１８と、長穴状の一群の通気口１９とがそれぞれ開口してある。吹出口８から吹き出された温風（あるいは冷風）の一部は、放電体９の内部に入り込み、通気口１９を介して周囲に吹き出され、同時にイオン送出付口１８からマイナスイオンが放出される。また、吹出口８から吹き出された温風の一部は、放電体９の外面に沿って流動する。各イオン送出付口１８に臨む放電体９の内部には、中央電極２０と周囲電極２１とからなる放電ユニットが配置してある（図９参照）。放電ユニットに高電圧のパルス電流を供給するイオン発生ユニットは本体ケース５の内部に収容してある。
【００４８】
カールユニット２は、連結部１３に外嵌装着される連結筒２４を有し、連結筒２４の上部に丸筒状（中空体状）のカール軸体２５と、カール軸体２５と協同して髪を挟み保持する押えアーム２６とを備えている。これらのカール軸体２５と押えアーム２６とでカール部３を構成している。連結筒２４の内面の対向２個所には、先のロック解除用のボタン１４で操作されるロック爪２７と係合する係合凹部２８が形成してある（図３参照）。
【００４９】
カール軸体２５は、その大半を占める主筒２５ａと、主筒２５ａの先端に固定される補助筒３２と、補助筒３２の上端に装着される突端軸部５５とで構成する。主筒２５ａの周囲壁には、先のイオン送出付口１８と通気口１９に対応して、イオン開口２９と通気開口３０が形成してあり、さらにカール軸体２５の下端に臨んで周回吹出口３１が形成してある。補助筒３２の筒壁には、通気開口３０と同様の通気開口３３が開口してある。この通気開口３３は、主筒２５ａに形成される通気開口３０より上下寸法が大きく設定してある。これは、カール軸体２５の先端に近づくほど風量が低下するのに対応したものであって、補助筒３２の通気開口３３の開口面積を大きくして、カール軸２５の軸心方向の吹き出し風量を均一にするためである。主筒２５ａの先端には、温風を補助筒３２の内部に送給するための通気窓３４が開口してある。なお、カール軸体２５を構成する補助筒３２は主筒２５ａと一体に形成することができる。さらに必要があれば補助筒３２と、主筒２５ａと、突端軸部５５を一体に形成してカール軸体２５とすることができる。その場合には、カール軸体２５を、前後あるいは左右に二分割した状態で成形して、成形された分割体を蓋合わせ状に接合するとよい。
【００５０】
カール軸体２５に装着したカーラー４を抜け外れ不能に係合保持するために、カール軸体２５の突端軸部５５にロック体５６を設けている（図１および図７参照）。カール軸体２５の突端寄りの内面には、放電体９の突端に設けた突起５８と係合するボス５９が設けてある（図３参照）。突端軸部５５は、上端が半球状に丸められた筒対からなり、カール軸体２５の上端に外嵌固定してある。
【００５１】
図５においてロック体５６は、突端軸部５５と一体に形成されて片持ち支持される弾性アーム６１と、弾性アーム６１の下端に突設されるロック爪６２と、アーム中途部からロック爪６２の突端へ向かって傾斜するガイド斜面６３とで構成する。ロック体５６は、ロック爪６２が突端軸部５５の周面から突出するロック位置と、ロック爪６２が突端軸部５５の周面内に沈み込むロック解除位置とに弾性変形でき、弾性アーム６１の自己の弾性でロック位置を位置保持できる。換言すると、弾性アーム６１は、ロック体５６をロック位置へ向かって進出付勢するばねを兼ねている。
【００５２】
図４に示すように押えアーム２６は、上下に長いステンレス板材製のプレス成形品からなるアーム本体７０と、アーム本体７０を支持するハンドル７１と、ハンドル７１を付勢する圧縮コイル形のばね７２などで構成してある。アーム本体７０の断面は、カール軸体２５の周面に沿う部分円弧状に形成してあり、その壁面の上下２個所にはイオン開口２９に対応するイオン窓７３と、イオン開口２９に隣接する通気開口３０、および補助筒３２の通気開口３３に対応するアーム通口７６とが開口してある。ハンドル７１は、連結筒２４に固定される一対の揺動ピン７４でシーソー揺動可能に軸支され、アーム本体７０がカール軸体２５と密着する向きにばね７２で付勢してある（図８参照）。ハンドル７１の下端にはレバー７５が一体に設けてあり、このレバー７５をばね７２に抗して押し込むことにより、図４に示すようにアーム本体７０を開き操作できる。
【００５３】
図６においてカーラー４は、両端が開口する格子筒状のカーラー枠３５と、カーラー枠３５の外周面に巻き付けられる金属シート製の伝熱体３６と、伝熱体３６の外面に巻き付けられる巻付け要素３７とで構成してある。カーラー枠３５は、周面に一群の通気窓３８が開口してある、剛性に富むプラスチック成形品からなり、巻付け要素３７を保形する機能と、伝熱体３６と協同してくせ付け用の熱を蓄熱する機能とを発揮する。先の通気開口３０が縦長の溝状に形成してあるのに対し、通気窓３８は格子穴状に形成してある。カーラー枠３５の上下寸法は、カール軸体２５の上下寸法より小さく設定してある。
【００５４】
カーラー枠３５の上端（突端）寄りの内面には、カーラー枠３５の内部を軸方向へ仕切るフランジ状の区分壁４１が形成され、その中央にカール軸体２５の挿通を許す装着開口４２が形成してある。また、カーラー枠３５の下端の温風入口４３と区分壁４１との間の枠内面には、表面積を増加する一群のリブ（凹凸体）４４・４５がカーラー枠３５の中心軸線と平行に形成してある。
【００５５】
詳しくは、図９に示すようにカーラー枠３５の内面に、突出寸法が大きな４個の第１リブ４４を十文字状に設けて、カーラー枠３５の内部を周方向へ区分し、さらに、各第１リブ４４の間の枠内面に突出寸法が小さな第２リブ４５の一群を突設している。また、区分壁４１より上側のカーラー枠３５の内面は、カーラー４をカール軸体２５から取り外すときのつまみ部４６となるが、このつまみ部４６にも先の両リブ４４・４５と同様の第３リブ４７が突設してある。第３リブ４７を設けることにより、指先とつまみ部４６との接触面積を小さくして、指先に感じる熱さを緩和できる。
【００５６】
伝熱体３６は、カーラー枠３５に比べて熱伝導性に優れたアルミニウムシートあるいはステンレスシートを多孔板状に打ち抜いて形成してあり、主としてカーラー枠３５の内部に送給された温風と接触して加熱され、同時にカーラー枠３５を外面側から加熱する。伝熱体３６のシート面にも、周方向へ長い溝状の通気窓４８が多数形成してある。伝熱体３６を設けることにより、カーラー枠３５を均一にしかもより速やかに加熱することができ、さらに、カーラー枠３５と協同して蓄熱量を向上できる利点もある。
【００５７】
図９に示すように巻付け要素３７は、それぞれ合成繊維を素材にして形成される通気自在な基布部５１と、基布部５１の外面に形成される一群の鉤状突片５２とで面ファスナー状に形成してある。このように、面ファスナー状に形成した巻付け要素３７は全体が柔軟であるので、伝熱体３６の外面に容易に巻き付けることができ、その巻き付け始端と巻き付け終端とは、それぞれカーラー枠３５に溶着固定してある。鉤状突片５２は、カーラー４に巻き付けられる髪を確実に絡ませることができるので、髪をより簡単に、しかもカーラー４に密着する状態で巻き付けることができる。
【００５８】
髪が巻き付けられたカーラー４は、ヘアピン、クリップ、あるいは輪ゴムなどで固定する。しかし、鉤状突片５２を髪に食い込ませながら髪をカーラー４に強く巻き込んだ状態では、カーラー４を遊動不能に固定できるので、必ずしも先のヘアピンなどを使用してカーラー４を固定する必要はない。鉤状突片５２は、カーラー４の表面に沿って面状に拡がる状態で設けてあるので、カーラー４の外面を持って髪を巻き込む際に、指先に対して点接触状態で接触することになり、したがって指先に感じる熱さを緩和して、髪の巻き込みを円滑に行なうことができる。また、つまみ部４６を親指と人差し指で内外からつまむとき、親指を受け止めて指先に感じる熱さを緩和することにも役立っている。
【００５９】
以上のように構成したヘアーセッターは、次の要領で使用する。まず、カールユニット２を放電体９に外嵌する状態で装着し、その連結筒２４を連結部１３に外嵌装着して、ロック爪２７で分離不能にロック固定する。この状態では、基端側の連結筒２４が連結部１３で支持され、さらにカール軸体２５の先端寄りに設けたボス５９が突起５８で支持されるので、カールユニット２をぐらつく余地のない状態で確りと固定できる。
【００６０】
次に、カーラー４のひとつをカール軸体２５に挿通して装着する。カーラー４を装着する過程では、第１リブ４４がカール軸体２５で移行案内されるので、カーラー４を概ね同心状に保持した状態で、装着開口４２をカール軸体２５に挿通できる。また、装着開口４２が突端軸部５５に外嵌したのちは、図５に示すように装着開口４２の下側のコーナー部分４１ｃががガイド斜面６３を押し込み操作して、弾性アーム６１を内向きに弾性変形させるので、装着開口４２の周面壁４１ｂがロック爪６２を円滑に乗り越えることができる。また、カーラー４を限界まで差し込んだ状態では、ロック体５６のロック爪６２が、装着開口４２の上側のコーナー部４１ａを介して区分壁４１を一方向へ押圧するので、カーラー４を分離不能に保持できる。なお、カーラー４の差し込み限界は、区分壁４１の下面をカール軸体２５の上部の段部６５で受け止めて規定している。先のコーナー部４１ａ・４１ｃ・および周面壁４１ｂが、本発明で言う装着開口４２の周縁壁を構成している。
【００６１】
上記のようにカーラー４をカール軸体２５に装着した状態において、カーラー４とカール軸体２５の基端との間には隙間Ｅが設けられており、この隙間Ｅに臨むカール軸体２５の基端に周回吹出口３１が開口している（図１参照）。この状態のヘアーセッターを専用のスタンドに横臥姿勢で載置し、スイッチノブ１２をオン操作して、温風をカール軸体２５からカーラー４の内部に吹き出し供給する。温風の一部は周回吹出口３１からカーラー４の内部へ直接吹き出し供給する。また、温風の送給と同時に、放電体９からマイナスイオンを放出して、カーラー４の全体をマイナスに帯電させる。カーラー４の内部に達した温風は、４個の第１リブ４４、およびで第１リブ４４で区画された各区室に臨む第２リブ４５を加熱し、同時に通気窓３８に臨む伝熱体３６を加熱しながら、伝熱体３６の通気窓４８を介してカーラー４の外部へ放出される。
【００６２】
温風によるカーラー４の加熱は数分間連続して行なうが、カール軸体２５の周面や、カーラー４の内外面に大量の髪が絡み付いていると、温風の通りが悪くなり、カーラー４が局部的に過熱状態に陥ることがある。このような通風不良に伴なう過熱を防止するために、カーラー４とカール軸体２５の基端との間に隙間Ｅを確保して、温風入口４３から不要な温風を排出して過熱を防止している。
【００６３】
カーラー温度が適温になった時点で、スイッチノブ１２をオフ操作して、ヒーター７およびモーター１０への通電を停止する。あるいは、カーラー温度が適温になった時点で、ヒーター７およびモーター１０への通電を自動的に停止してもよい。次に、カーラー４の全体をつかんで、ロック体５６の弾性に逆らいながらカール軸体２５から抜き外す。このとき、図５に示すように、ロック体５６のロック爪６２は、装着開口４２の上側のコーナー部４１ａで受け止められているだけであるので、弾性アーム６１を容易に弾性変形させて、カーラー４をより簡便に分離できる。カーラー４の装着も同様に簡便に行なうことができる。ロック体５６を押し込んでロック解除状態にし、つまみ部４６を指先でつかんでカーラー４の全体をカール軸体２５から抜き外してもよい。
【００６４】
カール軸体２５から取り外したカーラー４は、例えば図１０に示すように、その周面に頭頂部の髪を先端から根元へ向かって巻き込み、ヘアーピン状の専用の止め具で止め付けて、カーラー４の熱と曲げくせとによって髪をくせ付けする。この状態のカール軸体２５は、充分に高い温度状態にあり、したがってスイッチノブ１２をオン操作してすぐに、側頭部などの髪をカール軸体２５に巻き付けて、カーラー４によるくせ付けと併行してカール部３によるカール処理ができる。
【００６５】
上記のように、カーラー４をセッター本体１で加熱したのち、カーラー４をセッター本体１から分離して、その周面に髪を巻き付けてくせ付けを行なうようにすると、ヘアーセッターをカールしたい頭髪部分に差し上げた状態で持ち続けて髪を加熱する必要がない。したがって、ユーザーに余分な負担を強いることがなく、しかも髪をカーラー４で内部側から均等に加熱して、カール処理をむらなく行なえる。また、カーラー４によるカール処理と、カール軸体２５によるカール処理とを併行して行なえるので、整髪作業をより短時間で速やかに行なえる。
【００６６】
ヘアーピン状の専用の止め具で頭髪に止め付けたカーラー４は、温風を送給して再加熱することができる。その場合には、セッター本体１を温風送給状態にしたのち、カール軸体２５をカーラー内部に差し込んでカーラー４を加熱する。ただし、カール軸体２５はカーラー４の差込限界まで差し込む必要はなく、カール軸体２５から吹き出される温風と、周回吹出口３１から送給される温風とでカーラー４を内部から加熱するとよい。ヘアードライヤーで生成した温風を温風入口４３へ向かって吹き出してカーラー４を内面から加熱し、あるいはカーラー４に巻き付けられた髪とカーラー４とを同時に加熱してもよい。いずれの場合でも、予め加熱しておいたカーラー４で髪の加熱を行なうので、カーラー４の再加熱に要する時間は短時間ですむ。
【００６７】
図１１および図１２はカーラー４の別の実施例を示す。そこでは、カーラー枠３５を断面半円状の２個の分割枠３５ａ・３５ａで構成して、分割枠の内面にカーラー枠３５の中心軸線と直交する半円状のリブ４４を多段状に形成して凹凸体とした。リブ４４の径方向の突出寸法は、区分壁４１から温風入口４３へ近づくに従って徐々に小さく設定してあり、これによりカーラー枠３５の全体を均等に加熱できるようにしている。他は先の実施例と同じであるので、同じ部材に同じ符号を付してその説明を省略する。以下の実施例においても同じとする。
【００６８】
図１３はロック構造の別の実施例を示す。そこでは、ガイド斜面６３の下部に押圧面６７とストッパー突起６４を設けて、カーラー４の差込限界をストッパー突起６４で規定するようにした。このようにロック体５６のストッパー突起６４でカーラー４の差込限界を規定すると、カーラー４がロック体５６に不必要に差し込み操作されるのを防止しながら、カーラー４の抜け外れをロック体５６で規制できる。カーラー４を差し込む過程では、装着開口４２の下側のコーナー部４１ｃがガイド斜面６３を押し込みながら弾性アーム６１を弾性変形させる。また、下側のコーナー部４１ｃがガイド斜面６３を乗り越えた状態では、押圧面６７が装着開口４２の周面壁４１ｂを介して区分壁４１を押し付けて、カーラー４の装着状態を保持する。したがって、カーラー４が不用意に分離するのを防止できる。カーラー４を突端軸部５５から抜き出し操作する場合には、周面壁４１ｂが押圧面６を乗り越えたのちガイド斜面６３へ乗り上がるので、弾性アーム６１を自由状態に復帰させて、カーラー４を簡単に取り外すことができる。このように、ロック体５６は、装着開口４２の周面壁４１ｂを押圧面６７で面接触状に押圧して、カーラー４をロック保持することができる。
【００６９】
図１４はロック構造のさらに別の実施例を示す。そこでは、補助筒３２の先端の筒部で上下スライド自在に支持されるロック解除ボタン８１と、ロック解除ボタン８１を復帰付勢する復帰ばね８２と、先の筒部で左右スライド自在に案内支持されるロック爪８３と、ロック爪８３をロック位置へ向かって進出付勢するロックばね８４とでロック構造を構成する。ロック解除ボタン８１の内面中央には、ロック爪８３に設けたカム面８５を操作する操作ピン８６が設けてある。カーラー４をカール軸体２５に装着した状態では、ロック爪８３が区分壁４１に設けた装着開口４２の上周縁壁と係合して、カーラー４の抜け外れを規制している。この状態から、ロック解除ボタン８１を復帰ばね８２に抗して押し込み操作すると、操作ピン８６の下降動作をカム面８５で左右スライド動作に変換して、ロック爪８３をロック解除操作できる。以上のように構成したロック構造によれば、カーラー４のつまみ部４６をつかんだ状態で、ロック解除ボタン８１を押し込み操作することにより、カーラー４をカール軸体２５から容易に抜き出し操作できる。
【００７０】
上記の実施例では、カール部３を棒状のカール軸体２５と、カール軸体２５と協同して髪を挟み保持する押えアーム２６とで構成したが、カール部３は押えアーム２６を省略してカール軸体２５のみで構成することができる。その場合には、カール軸体２５の外表面に複数の突起を形成して、髪を巻き付けやすくするとよい。カール部３は、ヒーターを内蔵するカール軸体２５を加熱源にして構成することができ、その場合には、カール軸体２５の熱を伝導作用でカーラー４に伝導する。巻付け要素３７は面ファスナー状に形成する必要はなく、連続気泡性の発泡樹脂を円筒状に成形して形成することができる。
【００７１】
上記の実施例においては、セッター本体１の吹出口８側に、マイナスイオンを生成する棒状の放電体９を設けたが、放電体９は省略することができる。その場合には、カール軸体２５の内部に温風をより大量に送給して、その通気開口３０から吹き出す温風でカーラー４を速やかに加熱できる。
【００７２】
凹凸体はリブ状に形成する必要はなく、突起と凹部を交互に形成して凹凸体とすることができる。ロック体５６は、独立した部品で構成することができ、その場合には板ばねやコイルばねなどでロック付勢することができる。伝熱体３６は、カーラー枠３５の内外面の双方に配置することがでる。必要があれば円筒状の伝熱体３６をカーラー枠３５にインサート固定して、カーラー４を形成することができる。外径寸法寸法が異なる複数種のカーラー４を用意しておいて、髪のカールの大きさを、ユーザーが適宜選択できるようにすることができる。その場合には、区分壁４１の大きさ（直径）が大小に異なることになるが、ロック体５６で区分壁４１を係合捕捉する構造をとる限り、カール軸体２５に装着した複数種のカーラー４を共通してロック保持できる。
【符号の説明】
【００７３】
１  セッター本体
２  カールユニット
３  カール部
４  カーラー
６  送風ファン
７  ヒーター
１０  モーター
２５  カール軸体
２６  押えアーム
３５  カーラー枠
３６  伝熱体
３７  巻付け要素
【図１】
2010220858.tif 000003
【図２】
2010220858.tif 000004
【図３】
2010220858.tif 000005
【図４】
2010220858.tif 000006
【図５】
2010220858.tif 000007
【図６】
2010220858.tif 000008
【図７】
2010220858.tif 000009
【図８】
2010220858.tif 000010
【図９】
2010220858.tif 000011
【図１０】
2010220858.tif 000012
【図１１】
2010220858.tif 000013
【図１２】
2010220858.tif 000014
【図１３】
2010220858.tif 000015
【図１４】
2010220858.tif 000016